(57)【要約】【課題】  高密度化の進んだケーブルセットの端子同士の導通を容易に検査することのできるケーブルセットの配線検査用治具を提供することである。【解決手段】  雄型コネクタと雌型コネクタの同じ端子番号を電線で接続したケーブルセットの配線検査用治具であって、該ケーブルセットの雌型コネクタに配設された複数の雌端子に接続される複数の雄端子を有する接続部と、該複数の雄端子にそれぞれ電気的に接続され該雄端子の間隔を拡張した複数の拡張端子を有する拡張部と、を具備し、該各拡張端子近傍には該拡張端子が該接続部を介して接続される前記ケーブルセットの雌型コネクタの端子番号と同じ端子番号が表示されており、該接続部を該ケーブルセットの雌型コネクタに接続するとともに、テスターの第１端子を該ケーブルセットの雄型コネクタの所定番号の雄端子に接続し、第２端子を該拡張部の該所定番号と同一番号の拡張端子に接続することにより、該ケーブルセットの雄型コネクタと雌型コネクタの同じ端子番号同士の導通を検査することを特徴とする。【選択図】図３
2013137886.tif 000002
【特許請求の範囲】
【請求項１】
雄型コネクタと雌型コネクタの同じ端子番号を電線で接続したケーブルセットの配線検査用治具であって、
該ケーブルセットの雌型コネクタに配設された複数の雌端子に接続される複数の雄端子を有する接続部と、
該複数の雄端子にそれぞれ電気的に接続され該雄端子の間隔を拡張した複数の拡張端子を有する拡張部と、を具備し、
該各拡張端子近傍には該拡張端子が該接続部を介して接続される前記ケーブルセットの雌型コネクタの端子番号と同じ端子番号が表示されており、
該接続部を該ケーブルセットの雌型コネクタに接続するとともに、
テスターの第１端子を該ケーブルセットの雄型コネクタの所定番号の雄端子に接続し、第２端子を該拡張部の該所定番号と同一番号の拡張端子に接続することにより、該ケーブルセットの雄型コネクタと雌型コネクタの同じ端子番号同士の導通を検査することを特徴とするケーブルセットの配線検査用治具。
【発明の詳細な説明】
【技術分野】
【０００１】
本発明は、雄型コネクタと雌型コネクタが複数の電線で接続されたケーブルセットの同じ端子番号同士の導通を検査するケーブルセットの配線検査用治具に関する。
【背景技術】
【０００２】
切削装置、研削装置等の加工装置及び各種工作機械等の電力によって駆動される各種装置は、多機能化、高度化が進み、機械内部には様々な電子機器が装備されている。電子機器同士又は電子機器内部の基板同士は、雄雌のコネクタとコネクタ同士を結線する電線からなるケーブルセットにより接続される。
【０００３】
このようなケーブルセットは、電子機器の入力端子又は出力端子に接続され、複数の端子同士を容易に且つ確実に接続する役割を担っている（例えば、実公平４−２５８１０号公報参照）。
【先行技術文献】
【特許文献】
【０００４】
【特許文献１】実公平４−２５８１０号公報
【発明の概要】
【発明が解決しようとする課題】
【０００５】
ケーブルセットを製作する際には、雄と雌のコネクタの同一番号端子同士を電線を介して半田付け等により接続するが、小型化の進む電子機器と同様にコネクタも小型化が進んでおり、コネクタ内の端子（コネクタピン）同士の距離も小さくなっていく傾向がある。
【０００６】
ケーブルセットの製作が難易度を増すのと同様に、ケーブルセットが正しく製作できたか否かをテスターを用いて検査する検査工程も難易度が増加している。
【０００７】
即ち、雄雌コネクタの端子同士をテスターで導通させて配線のチェックを行う際に、端子間の間隔が非常に近距離で且つ端子が小さい場合、コネクタの端子に正確にピンポイントでテスターの測定用端子を当接させるのが難しいという問題がある。
【０００８】
特に、雌型コネクタの端子はケーシングから引っ込んで形成されているため、コネクタピンが突設されている薄型コネクタに比較してテスターの測定用端子を雌型コネクタの端子に当接させるのが非常に難しくなってきている。
【０００９】
本発明はこのような点に鑑みてなされたものであり、その目的とするところは、高密度化の進んだケーブルセットの端子同士の導通を容易に検査することのできるケーブルセットの配線検査用治具を提供することである。
【課題を解決するための手段】
【００１０】
本発明によると、雄型コネクタと雌型コネクタの同じ端子番号を電線で接続したケーブルセットの配線検査用治具であって、該ケーブルセットの雌型コネクタに配設された複数の雌端子に接続される複数の雄端子を有する接続部と、該複数の雄端子にそれぞれ電気的に接続され該雄端子の間隔を拡張した複数の拡張端子を有する拡張部と、を具備し、該各拡張端子近傍には該拡張端子が該接続部を介して接続される前記ケーブルセットの雌型コネクタの端子番号と同じ端子番号が表示されており、該接続部を該ケーブルセットの雌型コネクタに接続するとともに、テスターの第１端子を該ケーブルセットの雄型コネクタの所定番号の雄端子に接続し、第２端子を該拡張部の該所定番号と同一番号の拡張端子に接続することにより、該ケーブルセットの雄型コネクタと雌型コネクタの同じ端子番号同士の導通を検査することを特徴とするケーブルセットの配線検査用治具が提供される。
【発明の効果】
【００１１】
本発明のケーブルセットの配線検査用治具を用いると、雌型コネクタの端子を配線検査用治具の拡張部の拡張端子で容易に代用可能であり、複数の拡張端子は互いに離れて配置されているため、ピンポイントで正確に意図した端子のみにテスターの測定用端子を当てることが可能になるという効果を奏する。
【図面の簡単な説明】
【００１２】
【図１】本発明実施形態に係るケーブルセットの配線検査用治具の平面図である。
【図２】図１に示した配線検査用治具の側面図である。
【図３】ケーブルセットの端子の導通を配線検査用治具で検査している様子を示す斜視図である。
【発明を実施するための形態】
【００１３】
以下、本発明の実施形態を図面を参照して詳細に説明する。図１を参照すると、本発明実施形態に係るケーブルセットの配線検査用治具１０の平面図が示されている。図２は配線検査用治具１０の側面図である。
【００１４】
配線検査用治具１０は、検査すべきケーブルセット３４（図３参照）の雌型コネクタ３６に接続される接続部１２と、雌型コネクタ３６の端子間隔を拡張する拡張部１８とを含んでいる。接続部１２は雄型コネクタの形状をしており、ケーシング１４内に複数の雄端子１６が突設されている。ケーシング１４は検査すべきケーブルセット３４の雌型コネクタ３６に嵌合可能な形状を有している。
【００１５】
配線検査用治具１０の拡張部１８は、図２に示されるように、拡張ボード２０と支持プレート２２とを、一対の連結部材２４，２６で互いに概略平行となるように連結して構成されている。
【００１６】
拡張ボード２０には、検査すべきケーブルセット３４の雌コネクタ３６の端子に対応し、且つ端子間の間隔を拡張した複数の拡張端子２８が立設されており、接続部１２の雄端子１６に接続された電線３０は半田３２により拡張端子２８に接続されている。
【００１７】
拡張部１８の拡張端子２８の配列の順序は、接続部１２を介して接続されるケーブルセット３４の雌コネクタ３６の端子の配列順序と一致していることが好ましい。各拡張端子２８に隣接して拡張ボード２０上に接続部１２を介して接続される雌型コネクタ３６の端子番号と同じ端子番号（１〜１８）が表示されている。
【００１８】
図３に示すように、ケーブルセット３４は雌型コネクタ３６の各端子と雄型コネクタ３８の各端子４０が電線４２で接続されて構成されている。ケーブルセット３４の雌型コネクタ３６の端子と雄型コネクタ３８の端子４０が電気的に接続されているか否かを配線検査用治具１０を用いて検査するには、まず、配線検査用治具１０の接続部１２を検査すべきケーブルセット３４の雌型コネクタ３６に嵌合し、接続部１２の各端子１６を雌型コネクタ３６の各端子に接続する。
【００１９】
次いで、テスター４４の測定用第１端子４６をケーブルセット３４の雄型コネクタ３８の突出した端子４０に当接し、テスター４４の測定用第２端子４８を、測定用第１端子４６が当接している雄型コネクタ３８の端子番号と同一の端子番号の拡張端子２８に当接する。
【００２０】
このときテスター４４で導通が得られれば、ケーブルセット３４の雌型コネクタ３６と雄型コネクタ３８の同一番号の端子同士は正常に接続されていることになる。もし、テスター４４で導通が得られなければ、ケーブルセット３４の電線４２が断線しているか、或いは雌型コネクタ３６と雄型コネクタ３８の異なる端子番号同士の端子が接続されていることになり、この場合にはケーブルセット３４を不良品と判定する。
【００２１】
検査すべき端子番号を替えて配線検査用治具１０を使用して次々と検査し、全ての端子番号の検査で導通が得られれば、ケーブルセット３４を良品を判定する。一つでも導通が得られなければ、ケーブルセット３４を不良品と判定する。
【００２２】
上述した実施形態の配線検査用治具１０を用いると、ケーブルセット３４の雌型コネクタ３６の端子を配線検査用治具１０の拡張部１８の拡張端子２８で代用可能であり、拡張端子２８は互いに離れて拡張ボード２０に突設されているため、ピンポイントで正確に意図した拡張端子２８のみにテスター４４の測定用第２端子４８を当接することが可能となる。
【００２３】
上述した実施形態では、拡張部１８は、拡張ボード２０に拡張端子２８を立設して構成されているが、本発明の拡張部１８はこの構成に限定されるものではなく、例えば、検査すべきケーブルセット３４の雌コネクタ３６の端子に対応し、且つ端子間の間隔を拡張した複数の雄型拡張端子を有する雄型コネクタに類似した形状にしてもよい。
【符号の説明】
【００２４】
１０    配線検査用治具
１２    接続部
１８    拡張部
２０    拡張ボード
２８    拡張端子
３４    ケーブルセット
３６    雌型コネクタ
３８    雄型コネクタ
４４    テスター
４６    測定用第１端子
４８    測定用第２端子
【図１】
2013137886.tif 000003
【図２】
2013137886.tif 000004
【図３】
2013137886.tif 000005